(57)【特許請求の範囲】
【請求項１】
第一バネと、
第二バネと、
前記第一バネの一端部を上下に案内する第一案内部と、前記第一案内部の上端に連なった第一引掛部とが形成されるとともに、前記第二バネの一端部を上下に案内する第二案内部と、前記第二案内部の下端に連なった第二引掛部とが形成されたベースと、
前記ベースに対して上下に摺動可能に設けられ、前記第一バネ及び前記第二バネの他端部が回転可能に連結されたスライダと、を備え、
前記スライダの位置が前記第一バネの両端部の上下の位置を揃わせる位置より上である場合に、前記第一バネは前記スライダに対して上方への付勢力を有することを特徴とするスライド機構。
【請求項２】
前記第一バネの一端部を前記第一引掛部に引っ掛けた状態で前記第一バネの両端部の上下の位置を揃わせる場合の前記スライダの位置が、前記第二バネの一端部を前記第二引掛部に引っ掛けた状態で前記第二バネの両端部の上下の位置を揃わせる場合の前記スライダの位置よりも上であることを特徴とする請求項１に記載のスライド機構。
【請求項３】
前記スライダの位置が前記第一バネの両端部の上下の位置を揃わせる位置である場合に、前記第二バネの一端部が前記第二案内部にあるとともに前記第二バネが自然状態であることを特徴する請求項１又は２に記載のスライド機構。
【請求項４】
前記スライダの位置が前記第二バネの両端部の上下の位置を揃わせる位置である場合に、前記第一バネの一端部が前記第一案内部にあるとともに前記第一バネが自然状態であることを特徴する請求項１から３の何れか一項に記載のスライド機構。
【請求項５】
前記第一バネの両端部の上下の位置を揃わせる位置と、前記第二バネの両端部の上下の位置を揃わせる位置との間に前記スライダが位置する場合に、前記第一バネは前記スライダに対して下方への付勢力を有し、前記第二バネは前記スライダに対して上方への付勢力を有することを特徴とする請求項１から４の何れか一項に記載のスライド機構。
【請求項６】
前記スライダと前記ベースのうち一方に設けられた凸部と、
前記スライダと前記ベースのうち他方に設けられ、上下に並んだ突起と、を更に備え、
前記第一バネの両端部の上下の位置を揃わせる位置と、前記第二バネの両端部の上下の位置が揃わせる位置との間に前記スライダが位置する場合に、前記凸部が前記突起の間に挟まれることを特徴とする請求項１から５の何れか一項に記載のスライド機構。
【請求項７】
前記第一引掛部が前記第一案内部の上端から、前記第一案内部に関して前記第一バネと前記スライダとの連結部の反対側に曲げられていることを特徴とする請求項１から６の何れか一項に記載のスライド機構。
【請求項８】
前記第二引掛部が前記第二案内部の下端から、前記第二案内部に関して前記第二バネと前記スライダとの連結部の反対側に曲げられていることを特徴とする請求項１から７の何れか一項に記載のスライド機構。
【請求項９】
前記第一案内部及び前記第一引掛部からなる溝又は長孔と、前記第二案内部及び前記第二引掛部からなる溝又は長孔とが互いに独立していることを特徴とする請求項１から８の何れか一項に記載のスライド機構。
【請求項１０】
前筐体と、
前記前筐体の後面に向き合う後ろ筐体と、
請求項１から９の何れか一項に記載のスライド機構と、を備え、
前記ベースが前記前筐体の後面に取り付けられ、前記スライダが前記後ろ筐体の前面に取り付けられていることを特徴とする電子機器。
【請求項１１】
前記前筐体の後面に開口が形成され、前記ベースが前記開口に嵌め込まれるとともに、前記スライダの一部が前記開口に入り込み、
前記スライダの摺動範囲が、前記第一バネの両端部の上下の位置を揃わせる位置よりも上であって前記スライダが前記開口の上部壁面に接する位置から、前記第二バネの両端部の上下の位置を揃わせる位置よりも下であって前記スライダが前記開口の下部壁面に接する位置までであることを特徴とする請求項１０に記載の電子機器。
【請求項１２】
前記後ろ筐体の前面であって前記スライダの取付位置よりも上側に設けられた第一入力部と、
前記後ろ筐体の前面であって前記スライダの取付位置よりも下側に設けられた第二入力部と、を更に備えることを特徴とする請求項１０又は１１に記載の電子機器。
【請求項１３】
前記前筐体の前面に設けられた表示部を更に備えることを特徴とする請求項１０から１２の何れか一項に記載の電子機器。
【発明の詳細な説明】
【技術分野】
【０００１】
本発明は、スライド機構及び電子機器に関し、特にそのスライダ又は筐体を低負荷で移動させることができるスライド機構及び電子機器に関する。
【背景技術】
【０００２】
近年、スライド式の携帯電話機が広く普及している。かかる携帯電話機においては、前筐体の後面と後ろ筐体の前面がスライド機構によって連結され、後ろ筐体を前筐体に対して上下にスライドできるようになっている。また、後ろ筐体が前筐体と全体的に重なった閉じ状態から上下の両方にスライドし得る携帯電話機もある。例えば、特許文献１に記載の携帯電話機においては、前筐体（１）に対して後ろ筐体（Ｓ）を下に引き出した状態では、後ろ筐体（Ｓ）が操作部として機能し、前筐体（１）に対して後ろ筐体（Ｓ）を上に引き出した状態では、後ろ筐体（Ｓ）がカメラ等に機能する。そのため、利用する機能によって後ろ筐体の機能を使い分けることができる。
【特許文献１】特開２００７−６７８９２号公報
【発明の開示】
【発明が解決しようとする課題】
【０００３】
しかしながら、前筐体（１）に対して後ろ筐体（Ｓ）を上下のどちらに引き出す場合であっても、後ろ筐体（Ｓ）を引き出した状態から閉じ状態にスライドさせる場合であっても、そのスライド範囲全体にわたって手動で後ろ筐体をスライドさせなければならず、スライド操作に大きな力を必要としていた。
そこで、本発明の課題は、スライド操作の負担を軽減できるようにすることである。
【課題を解決するための手段】
【０００４】
請求項１に係る発明によれば、
第一バネと、
第二バネと、
前記第一バネの一端部を上下に案内する第一案内部と、前記第一案内部の上端に連なった第一引掛部とが形成されるとともに、前記第二バネの一端部を上下に案内する第二案内部と、前記第二案内部の下端に連なった第二引掛部とが形成されたベースと、
前記ベースに対して上下に摺動可能に設けられ、前記第一バネ及び前記第二バネの他端部が回転可能に連結されたスライダと、を備え、
前記スライダの位置が前記第一バネの両端部の上下の位置を揃わせる位置より上である場合に、前記第一バネは前記スライダに対して上方への付勢力を有することを特徴とするスライド機構が提供される。
【０００５】
請求項２に係る発明によれば、
前記第一バネの一端部を前記第一引掛部に引っ掛けた状態で前記第一バネの両端部の上下の位置を揃わせる場合の前記スライダの位置が、前記第二バネの一端部を前記第二引掛部に引っ掛けた状態で前記第二バネの両端部の上下の位置を揃わせる場合の前記スライダの位置よりも上であることを特徴とする請求項１に記載のスライド機構が提供される。
【０００６】
請求項３に係る発明によれば、
前記スライダの位置が前記第一バネの両端部の上下の位置を揃わせる位置である場合に、前記第二バネの一端部が前記第二案内部にあるとともに前記第二バネが自然状態であることを特徴する請求項１又は２に記載のスライド機構が提供される。
【０００７】
請求項４に係る発明によれば、
前記スライダの位置が前記第二バネの両端部の上下の位置を揃わせる位置である場合に、前記第一バネの一端部が前記第一案内部にあるとともに前記第一バネが自然状態であることを特徴する請求項１から３の何れか一項に記載のスライド機構が提供される。
【０００８】
請求項５に係る発明によれば、
前記第一バネの両端部の上下の位置を揃わせる位置と、前記第二バネの両端部の上下の位置を揃わせる位置との間に前記スライダが位置する場合に、前記第一バネは前記スライダに対して下方への付勢力を有し、前記第二バネは前記スライダに対して上方への付勢力を有することを特徴とする請求項１から４の何れか一項に記載のスライド機構が提供される。
【０００９】
請求項６に係る発明によれば、
前記スライダと前記ベースのうち一方に設けられた凸部と、
前記スライダと前記ベースのうち他方に設けられ、上下に並んだ突起と、を更に備え、
前記第一バネの両端部の上下の位置を揃わせる位置と、前記第二バネの両端部の上下の位置が揃わせる位置との間に前記スライダが位置する場合に、前記凸部が前記突起の間に挟まれることを特徴とする請求項１から５の何れか一項に記載のスライド機構が提供される。
【００１０】
請求項７に係る発明によれば、
前記第一引掛部が前記第一案内部の上端から、前記第一案内部に関して前記第一バネと前記スライダとの連結部の反対側に曲げられていることを特徴とする請求項１から６の何れか一項に記載のスライド機構が提供される。
【００１１】
請求項８に係る発明によれば、
前記第二引掛部が前記第二案内部の下端から、前記第二案内部に関して前記第二バネと前記スライダとの連結部の反対側に曲げられていることを特徴とする請求項１から７の何れか一項に記載のスライド機構が提供される。
【００１２】
請求項９に係る発明によれば、
前記第一案内部及び前記第一引掛部からなる溝又は長孔と、前記第二案内部及び前記第二引掛部からなる溝又は長孔とが互いに独立していることを特徴とする請求項１から８の何れか一項に記載のスライド機構が提供される。
【００１３】
請求項１０に係る発明によれば、
前筐体と、
前記前筐体の後面に向き合う後ろ筐体と、
請求項１から９の何れか一項に記載のスライド機構と、を備え、
前記ベースが前記前筐体の後面に取り付けられ、前記スライダが前記後ろ筐体の前面に取り付けられていることを特徴とする電子機器が提供される。
【００１４】
請求項１１に係る発明によれば、
前記前筐体の後面に開口が形成され、前記ベースが前記開口に嵌め込まれるとともに、前記スライダの一部が前記開口に入り込み、
前記スライダの摺動範囲が、前記第一バネの両端部の上下の位置を揃わせる位置よりも上であって前記スライダが前記開口の上部壁面に接する位置から、前記第二バネの両端部の上下の位置を揃わせる位置よりも下であって前記スライダが前記開口の下部壁面に接する位置までであることを特徴とする請求項１０に記載の電子機器が提供される。
【００１５】
請求項１２に係る発明によれば、
前記後ろ筐体の前面であって前記スライダの取付位置よりも上側に設けられた第一入力部と、
前記後ろ筐体の前面であって前記スライダの取付位置よりも下側に設けられた第二入力部と、を更に備えることを特徴とする請求項１０又は１１に記載の電子機器が提供される。
【００１６】
請求項１３に係る発明によれば、
前記前筐体の前面に設けられた表示部を更に備えることを特徴とする請求項１０から１２の何れか一項に記載の電子機器が提供される。
【発明の効果】
【００１７】
本発明によれば、スライダを上下にスライドさせる際の負担を第一バネや第二バネによって軽減することができる。また、スライダの位置によって付勢の向きを変えることができる。
【発明を実施するための最良の形態】
【００１８】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１９】
図１〜図３は、スライド機構１を示した正面図であり、図４は、スライド機構１を示した下面図である。
【００２０】
このスライド機構１は、薄板状のベース２と、ベース２に対して上下に摺動可能となってベース２に取り付けられたスライダ３と、スライダ３とベース２との間に組み込まれた２つのトーションバネ４，５等とを備える。
【００２１】
ベース２の左右両端には、ガイドレール２１，２２が形成されている。ガイドレール２１，２２は、上下に一直線状に形成されている。ベース２は、その両側のガイドレール２１，２２を含めて、金属製である。
【００２２】
ベース２の右部にはガイド２３が形成され、ベース２の左部にはガイド２６が形成されている。ガイド２３，２６はベース２の背面から前面に貫通した孔である。なお、ガイド２３，２６がベース２の背面に凹設された溝であってもよいが、その場合でも、正面視した形状は図１〜図３の場合と同様である。
【００２３】
ガイド２３は、上下方向に直線状に形成された第一案内部２４と、第一案内部２４の上端に連なるとともに第一案内部２４の上端から右に曲げられた第一引掛部２５と、からなる。ガイド２６は、上下方向に直線状に形成された第二案内部２７と、第二案内部２７の下端から左に曲げられた第二引掛部２８と、からなる。引掛部２５，２８は弓なり状に湾曲している。案内部２４，２７の長さが異なっており、全体としてガイド２３，２６の全長が異なっている。なお、ガイド２３，２６の全長が等しくてもよい。
【００２４】
スライダ３が薄板状に形成されている。スライダ３の左右両側にはキャリッジ３１，３２が設けられ、キャリッジ３１，３２には上下方向に長尺なスリット３３，３４がそれぞれ形成されている。スリット３３にガイドレール２１が差し込まれ、スリット３４にガイドレール２２が差し込まれている。キャリッジ３１がガイドレール２１に沿って摺動可能とされ、キャリッジ３２がガイドレール２２に沿って摺動可能とされ、これによりスライダ３がベース２に対して上下にスライド可能となっている。キャリッジ３１，３２が樹脂製であるから、金属のガイドレール２１，２２に対して潤滑性が高くなっている。
【００２５】
スライダ３はベース２の背面から間隔をおいてベース２の背面側に配置されている。トーションバネ４，５はベース２の背面とスライダ３の前面との間に配設されている。第一トーションバネ４は、線材を巻いたものであって、アーム４１とアーム４２との間で巻き部４６が形成されたものであるが、単に線材を二つ折りにしたものでもよいし、板材を二つ折りにしたものでもよい。第二トーションバネ５も同様である。
【００２６】
第一トーションバネ４の一方のアーム４１の先端部は、連結ピン４３によって、スライダ３に対して回転可能となってスライダ３の前面に連結されている。具体的には、連結ピン４３がその中心の軸心の周りに回転可能となって第一トーションバネ４のアーム４１の先端部に取り付けられ、その連結ピン４３がスライダ３の前面に固定されている。連結ピン４３の中心の軸心は、スライダ３の前面に対して垂直であって、前後方向に延在している。なお、連結ピン４３がその軸心の周りに回転可能となってスライダ３の前面に取り付けられてもよい。また、連結ピン４３がスライダ３に対して回転可能となっていれば、連結ピン４３が第一トーションバネ４のアーム４１に対して回転可能となっていなくてもよい。
【００２７】
第一トーションバネ４の他方のアーム４２の先端部は、すべりピン４４によってガイド２３に沿って移動可能に設けられている。具体的には、すべりピン４４がその中心線の軸の周りに回転可能となって第一トーションバネ４のアーム４２の先端部に取り付けられ、すべりピン４４がガイド２３に差し込まれ、すべりピン４４がガイド２３に沿って摺動可能となっている。すべりピン４４がガイド２３に沿って摺動可能となっているので、第一トーションバネ４のアーム４２の先端部がガイド２３によって案内される。
【００２８】
第一トーションバネ４のアーム４１とスライダ３の連結部分である連結ピン４３は、ガイド２３よりも左側にあり、第一引掛部２５が第一案内部２４の上端から第一案内部２４に関してその連結ピン４３の反対側に曲げられている。なお、連結ピン４３がガイド２３よりも右側にあってもよいが、その場合には、ガイド２３の第一引掛部２５は第一案内部２４の上端から左に曲げられている。
【００２９】
第二トーションバネ５の一方のアーム５１の先端部は、第一トーションバネ４のアーム４１が連結ピン４３によってスライダ３の前面に枢支されるのと同様に、連結ピン５３によってスライダ３の前面に枢支されている。また、第二トーションバネ５の他方のアーム５２の先端部は、第一トーションバネ４のアーム４２がすべりピン４４によってガイド２３に沿って移動可能となっているのと同様に、すべりピン５４によってガイド２６に沿って移動可能となっている。第二トーションバネ５のアーム５１とスライダ３の連結部分である連結ピン５３は、ガイド２６よりも右側にある。なお、連結ピン５３がガイド２６よりも左側にあってもよいが、その場合には、ガイド２６の第二引掛部２８は第二案内部２７の下端から右に曲げられている。
【００３０】
スライダ３がベース２に対してスライドする範囲は、連結ピン４３がガイド２３の上端（第一引掛部２５の突端）よりも上になる位置から連結ピン５３がガイド２６の下端（第二引掛部２８の突端）よりも下になる位置までの範囲である。また、ガイド２３の上端と連結ピン４３の上下の位置が揃っている場合のスライダ３の位置は、ガイド２６の下端と連結ピン５３の上下の位置が揃っている場合のスライダ３の位置よりも上である。
【００３１】
スライダ３がガイド２３の上端と連結ピン４３の上下の位置を揃わせる位置（以下、その位置を第一の荷重特異位置という。）にある場合、すべりピン４４が第一引掛部２５に引っ掛かってその突端に位置し、すべりピン４４と連結ピン４３の上下の位置が揃っている。第一の荷重特異位置においては、すべりピン４４と連結ピン４３が最も近接するから、第一トーションバネ４が最も巻き込まれ、第一トーションバネ４の撓み角が最も大きくなる。また、第一の荷重特異位置においては、すべりピン５４が第二案内部２７にあり、第二トーションバネ５が自然状態となっている。そして、スライダ３が第一の荷重特異位置よりも上にあれば、第一トーションバネ４の付勢力によってスライダ３がベース２に対して上に付勢される。一方、スライダ３が第一の荷重特異位置よりも下にあり、すべりピン４４が第一引掛部２５に引っ掛かっていれば、第一トーションバネ４の付勢力によってスライダ３がベース２に対して下に付勢される。
【００３２】
スライダ３がガイド２６の下端と連結ピン５３の上下の位置を揃わせる位置（以下、その位置を第二の荷重特異位置という。）にある場合、すべりピン５４が第二引掛部２８に引っ掛かってその突端に位置し、すべりピン５４と連結ピン５３の上下の位置が揃っている。第二の荷重特異位置においては、すべりピン５４と連結ピン５３が最も近接するから、第二トーションバネ５が最も巻き込まれ、第二トーションバネ５の撓み角が最も大きくなる。また、第二の荷重特異位置においては、すべりピン４４が第一案内部２４にあり、第一トーションバネ４が自然状態となっている。そして、スライダ３が第二の荷重特異位置よりも下にあれば、第二トーションバネ５の付勢力によってスライダ３がベース２に対して下に付勢される。一方、スライダ３が第二の荷重特異位置よりも上にあり、すべりピン５４が第二引掛部２８に引っ掛かっていれば、第二トーションバネ５の付勢力によってスライダ３がベース２に対して上に付勢される。
【００３３】
図１に示すように、スライダ３の位置が、第一の荷重特異位置と第二の荷重特異位置の間の所定位置（以下、この位置を原点位置という。）である場合、すべりピン４４が第一引掛部２５の突端に位置するとともに、すべりピン５４が第二引掛部２８の突端に位置し、すべりピン４４，５４が引掛部２５，２８にそれぞれ引っ掛かっている。また、スライダ３が原点位置にある場合には、トーションバネ４，５はともに自然状態よりも僅かながら巻き込まれた状態となっており、トーションバネ４，５が釣り合っている。
【００３４】
スライダ３の前面には樹脂製の弾性凸部７１が取り付けられ、ベース２の背面には上下に並んだ２つの突起７２，７３が形成されている。図１に示すように、スライダ３が原点位置にある場合には、弾性凸部７１が突起７２と突起７３との間に上下に挟まれている。そのため、その原点位置においてスライダ３が保持される（図５参照）。図５は、図１に示されたV−V断面の矢視断面図である。
【００３５】
スライダ３の上端とベース２の上端が揃った位置（以下、最上位置という。）では、図２に示すように、連結ピン４３，５３がガイド２３，２６の上端よりも上に位置する。また、スライダ３が最上位置にある場合には、すべりピン５４は第二引掛部２８から外れており、第二案内部２７にある。また、スライダ３が最上位置にある場合には、第二トーションバネ５が自然状態となっている。スライダ３が最上位置にある場合には、すべりピン４４が第一引掛部２５の突端に位置するとともに、第一トーションバネ４が自然状態よりも巻き込まれた状態となっている。
【００３６】
スライダ３の下端とベース２の下端が揃った位置（以下、最下位置という。）では、図３に示すように、連結ピン４３，５３がガイド２３，２６の下端よりも下に位置する。また、スライダ３が最下位置にある場合には、すべりピン４４は第一引掛部２５から外れており、第一案内部２４にある。また、スライダ３が最下位置にある場合には、第一トーションバネ４が自然状態となっている。スライダ３が最下位置にある場合には、すべりピン５４が第二引掛部２８の突端に位置するとともに、第二トーションバネ５が自然状態よりも巻き込まれた状態となっている。
【００３７】
以上のように構成されたスライド機構１は、図６〜図８に示すような携帯型の電子機器８に組み込まれている。この電子機器８は、携帯電話機、パーソナルコンピュータ、デジタルカメラ、ＰＤＡ（Personal Digital Assistance）、電子手帳、携帯無線機その他の電子機器である。この電子機器８は、上記スライド機構１に加えて、このスライド機構１によって互いにスライド可能となって連結された前筐体８０及び後ろ筐体９０を備える。なお、図６においては、スライド機構１が図示されるように前筐体８０を二点鎖線で示す。
【００３８】
前筐体８０の後面には矩形状の開口８４が形成されている。その開口８４にベース２が嵌め込まれてその開口８４がベース２によって閉塞され、ベース２がネジによって前筐体８０に取り付けられている。また、スライダ３の一部が開口８４に入り込んでいるとともに、スライダ３がネジによって後ろ筐体９０の前面に取り付けられている。そのため、スライダ３がスライドできる範囲は、スライダ３の上端が開口８４の上部壁面８５に接する位置からスライダ３の下端が開口８４の下部壁面８６に接する位置までの範囲である。
【００３９】
前筐体８０の前面であってその下部には、複数の押釦８２等を有する入力部８１が設けられている。前筐体８０の前面であって入力部８１の上側には、液晶ディスプレイ又はＥＬディスプレイ等を有する表示部８３が設けられている。
【００４０】
後ろ筐体９０の前面であってスライダ３の上側には、複数の押釦９１等を有する第一入力部９２が設けられている。後ろ筐体９０の前面であってスライダ３の下側には、複数の押釦９３等を有する第二入力部９４が設けられている。なお、入力部９２，９４が、方向入力デバイス（例えば、トラックボール式ポインティングデバイス、光学式ポインティングデバイス、静電容量式ポインティングデバイス）でもよい。また、入力部９２，９４の代わりに、又は入力部９２，９４とともに表示部を設けてもよいし、その表示面に透明型のタッチセンサが設けられてもよい。また、入力部９２，９４の代わりに又は入力部９２，９４とともに、撮像素子及びレンズ等を有するカメラ部が設けられてもよい。
【００４１】
スライダ３が図１に示すように原点位置にある場合には、図６に示すように前筐体８０の上端と後ろ筐体９０の上端の上下の位置が揃っているとともに、前筐体８０の下端と後ろ筐体９０の下端の上下の位置が揃っている。そのため、後ろ筐体９０の前面全体が前筐体８０によって覆われ、入力部９２，９４が前筐体８０の後ろ側に隠れている。
【００４２】
スライダ３が図２に示すように最上位置にある場合には、図７に示すように後ろ筐体９０の上端が前筐体８０の上端に対して上にずれ、後ろ筐体９０の前面のうちスライダ３よりも上の部分が前筐体８０より上に位置する。そのため、第一入力部９２が露出している。
【００４３】
スライダ３が図３に示すように最下位置にある場合には、図８に示すように後ろ筐体９０の下端が前筐体８０の下端に対して下にずれ、後ろ筐体９０の前面のうちスライダ３よりも下の部分が前筐体８０より下に位置する。そのため、第二入力部９４が露出している。
【００４４】
次に、スライド機構１及び電子機器８の操作方法及び作用について説明する。
【００４５】
（１）スライダ３が原点位置から最上位置にスライドする場合
スライダ３が原点位置にある状態からユーザが前筐体８０を後ろ筐体９０に対して下にスライドさせると、スライダ３がベース２に対して上にスライドする。スライダ３が上にスライドし始める際には、弾性凸部７１が弾性変形して突起７２を乗り越える。
【００４６】
スライダ３の上への移動に伴って連結ピン４３，５３が上に移動する。そうすると、連結ピン５３の上への移動によって第二トーションバネ５が自然状態となり、すべりピン５４が第二引掛部２８から外れて、第二案内部２７に移動する。第二引掛部２８が連結ピン５３の反対側に曲げられているから、すべりピン５４が第二引掛部２８から外れやすい。一方、連結ピン４３がすべりピン４４に近づくから、第一トーションバネ４が巻き込まれ、その撓み角が大きくなる。
【００４７】
更にユーザが前筐体８０を後ろ筐体９０に対して下にスライドさせ、スライダ３がベース２に対して上にスライドする。そうすると、第二トーションバネ５が自然状態を保ったまま、すべりピン５４が第二案内部２７に沿って上に移動し、連結ピン４３が上に移動することで第一トーションバネ４が更に巻き込まれる。こうして、スライダ３が第一の荷重特異位置よりも上に移動すると、連結ピン４３がすべりピン４４よりも上になるから、第一トーションバネ４によってスライダ３がベース２に対して上へ付勢される。そのため、第一トーションバネ４によってスライダ３がベース２に対して自然に上にスライドし、前筐体８０が後ろ筐体９０に対して自然に下にスライドする。
【００４８】
そして、スライダ３が最上位置まで移動すると、第一入力部９２の全ての押釦９１が露出し、スライダ３のキャリッジ３１，３２が前筐体８０の開口８４の上部壁面８５に接する。そのため、第一トーションバネ４が自然状態よりも巻き込まれていても、スライダ３がベース２に対して上にそれ以上移動せず、前筐体８０が後ろ筐体９０に対して下にそれ以上移動しない。
以上のように、ユーザがスライダ３を原点位置から最上位置までスライドさせずに済み、その途中の第一の荷重特異位置までスライドさせるだけでよい。従って、ユーザにとっては前筐体８０やスライダ３を長い距離スライドせずに済む。そのため、ユーザは指先だけで簡単に前筐体８０を下に開くことができる。
【００４９】
（２）スライダ３が最上位置から原点位置にスライドする場合
ユーザが前筐体８０を後ろ筐体９０に対して上にスライドさせると、スライダ３がベース２に対して下にスライドする。スライダ３の下への移動に伴って連結ピン４３，５３が下に移動する。そうすると、第二トーションバネ５が自然状態を保った状態ですべりピン５４が第二案内部２７に沿って下に移動し、第一トーションバネ４が巻き込まれていく。
【００５０】
そして、スライダ３が第一の荷重特異位置よりも下に移動すると、第一トーションバネ４によってスライダ３がベース２に対して下へ付勢される。そのため、第一トーションバネ４によってスライダ３がベース２に対して自然に下にスライドし、前筐体８０が後ろ筐体９０に対して自然に上にスライドする。スライダ３が第一の荷重特異位置から原点位置に向けて自然にスライドするから、ユーザにとっては前筐体８０やスライダ３を長い距離スライドせずに済む。
【００５１】
更に、スライダ３がベース２に対して下にスライドすると、第二トーションバネ５が自然状態を保った状態ですべりピン５４が第二案内部２７に沿って下に移動し、第一トーションバネ４の撓み角が小さくなる。そして、すべりピン５４が第二引掛部２８に入り込み、第二引掛部２８の突端に当たり、第二トーションバネ５が巻き込まれる。
【００５２】
そして、スライダ３が原点位置まで移動すると、第一トーションバネ４と第二トーションバネ５が釣り合って、ベース２に対してスライダ３が止まる。スライダ３が原点位置に戻る直前に弾性凸部７１が弾性変形して突起７２を乗り越え、スライダ３が原点位置に位置すると、弾性凸部７１が突起７２と突起７３の間に上下に挟まれる。
【００５３】
（３）スライダ３が原点位置から最下位置にスライドする場合
ユーザが前筐体８０を後ろ筐体９０に対して上にスライドさせると、スライダ３がベース２に対して下にスライドする。スライダ３が下にスライドし始める際には、弾性凸部７１が弾性変形して突起７３を乗り越える。
【００５４】
スライダ３の下への移動に伴って連結ピン４３，５３が下に移動する。そうすると、連結ピン４３の下への移動によって第一トーションバネ４が自然状態となり、すべりピン４４が第一引掛部２５から外れて、第一案内部２４に移動する。第一引掛部２５が連結ピン４３の反対側に曲げられているから、すべりピン４４が第一引掛部２５から外れやすい。一方、連結ピン５３がすべりピン５４に近づくから、第二トーションバネ５が巻き込まれ、その撓み角が大きくなる。
【００５５】
更にユーザが前筐体８０を後ろ筐体９０に対して上にスライドさせ、スライダ３がベース２に対して下にスライドする。そうすると、第一トーションバネ４が自然状態を保ったまま、すべりピン４４が第一案内部２４に沿って下に移動し、連結ピン５３が下に移動することで第二トーションバネ５が更に巻き込まれる。こうして、スライダ３が第二の荷重特異位置よりも下に移動すると、第二トーションバネ５によってスライダ３がベース２に対して下へ付勢される。そのため、第二トーションバネ５によってスライダ３がベース２に対して自然に下にスライドし、前筐体８０が後ろ筐体９０に対して自然に上にスライドする。スライダ３が第二の荷重特異位置から最下位置に向けて自然にスライドするから、ユーザにとっては前筐体８０やスライダ３を長い距離スライドせずに済む。
【００５６】
そして、スライダ３が最下位置まで移動すると、第二入力部９４の全ての押釦９３が露出し、スライダ３のキャリッジ３１，３２が前筐体８０の開口８４の下部壁面８６に接する。そのため、第二トーションバネ５が自然状態よりも巻き込まれていても、スライダ３がベース２に対して下にそれ以上移動せず、前筐体８０が後ろ筐体９０に対して上にそれ以上移動しない。
【００５７】
（４）スライダ３が最下位置から原点位置にスライドする場合
ユーザが前筐体８０を後ろ筐体９０に対して下にスライドさせると、スライダ３がベース２に対して上にスライドする。スライダ３の上への移動に伴って連結ピン４３，５３が上に移動する。そうすると、第一トーションバネ４が自然状態を保った状態ですべりピン４４が第一案内部２４に沿って上に移動し、第二トーションバネ５が巻き込まれていく。
【００５８】
そして、連結ピン５３とすべりピン５４の上下の位置が揃い、更に連結ピン５３がすべりピン４４よりも上に移動すると、第二トーションバネ５によってスライダ３がベース２に対して上へ付勢される。そのため、第二トーションバネ５によってスライダ３がベース２に対して自然に上にスライドし、前筐体８０が後ろ筐体９０に対して自然に下にスライドする。このようにスライダ３が第二の荷重特異位置から原点位置に向けて自然にスライドするから、ユーザにとっては前筐体８０やスライダ３を長い距離スライドせずに済む。
【００５９】
更に、スライダ３がベース２に対して上にスライドすると、第一トーションバネ４が自然状態を保った状態ですべりピン４４が第一案内部２４に沿って上に移動し、第二トーションバネ５の撓み角が小さくなる。そして、すべりピン４４が第一引掛部２５に入り込み、第一引掛部２５の突端に当たり、第一トーションバネ４が巻き込まれる。
【００６０】
そして、スライダ３が原点位置まで移動すると、第一トーションバネ４と第二トーションバネ５が釣り合って、ベース２に対してスライダ３が止まる。スライダ３が原点位置に戻る直前に弾性凸部７１が弾性変形して突起７３を乗り越え、スライダ３が原点位置に位置すると、弾性凸部７１が突起７２と突起７３の間に上下に挟まれる。
【００６１】
以上のように、本実施形態によれば、ユーザが前筐体８０を図６の状態から図７の状態に又はその逆にスライドさせる場合、第一トーションバネ４の付勢力によって負荷の少ないスムーズな操作が可能となる。同様に、第二トーションバネ５の付勢力によって、ユーザにとって低負荷で前筐体８０を図６の状態から図８の状態に又はその逆にスライドさせることができる。
【００６２】
また、スライダ３が図２に示すように最上位置にある場合、すべりピン４４が第一引掛部２５に引っ掛かることで、第一トーションバネ４のアーム４２やすべりピン４４の位置が定まる。そのため、第一トーションバネ４が自然状態から巻き込まれた状態になり得る。この状態においては、第一トーションバネ４によってスライダ３がベース２に対して上に付勢され、スライダ３の上端が前筐体８０の開口８４の上部壁面８５に当たってスライダ３の上への移動が規制されている。従って、スライダ３がベース２に対してがたつくことがなく、自然な振動や荷重が電子機器８に作用しても図７の状態が保持される。スライダ３が図３に示すように最下位置にある場合にも同様に、第二トーションバネ５によってスライダ３がベース２に対してがたつかず、前筐体８０も後ろ筐体９０に対してがたつかない。
【００６３】
また、スライダ３が図１に示すように原点位置にある場合、すべりピン４４，５４が引掛部２５，２８に引っ掛かることで、トーションバネ４，５を釣り合わせることができる。それゆえ、スライダ３を原点位置で保持することができるとともに、電子機器８を図６の状態に保持することができる。特に、弾性凸部７１が突起７２，７３の間にあるから、更にスライダ３がベース２に対してがたつくことなく、スライダ３を原点位置に保持することができる。
【００６４】
また、トーションバネ４，５のアーム長、自然状態のアームの角度、バネ定数等を変更することによってスライダ３の原点位置を上下に調整することができる。スライダ３の原点位置に合わせて、後ろ筐体９０に対するスライダ３の取付位置を上下に調整すれば、前筐体８０が最も下にスライドした際の前筐体８０の上端から後ろ筐体９０の上端までの長さを調整することができるとともに、前筐体８０が最も上にスライドした際の前筐体８０の下端から後ろ筐体９０の下端までの長さを調整することができる。
【００６５】
また、前筐体８０の前面に表示部８３が設けられ、後ろ筐体９０の前面上部に第一入力部９２が設けられ、後ろ筐体９０の前面下部に第二入力部９４が設けられているから、電子機器８の形態に応じて電子機器８の機能を切り替えることができる。即ち、前筐体８０を下にスライドさせて第一入力部９２を露出させた場合と、前筐体８０を上にスライドさせて第二入力部９４を露出させた場合とでは、電子機器８の機能が異なれば、機能を切り替えて利用できる電子機器８を提供することができる。
【００６６】
また、ガイド２３，２６が互いに独立しているから、ガイド２３，２６の長さを独立して設定することができる。そして、スライダ３が前筐体８０の開口８４の上部壁面８５に当接せずに、スライダ３が最上位置よりも更に上に移動することができる場合には、スライダ３の上への移動限界はすべりピン５４が第二案内部２７の上端に当接するまである。従って、第二案内部２７の長さを設計変更することで、前筐体８０が後ろ筐体９０に対して下にスライドできる範囲を変更することができる。同様に、スライダ３が前筐体８０の開口８４の下部壁面８６に当接せずに、スライダ３が最下位置よりも更に下に移動することができる場合には、第一案内部２４の長さを設計変更すれば、前筐体８０が後ろ筐体９０に対して上にスライドできる範囲を変更することができる。このように、案内部２４，２７の長さを独立に設定できるようにしたことで、前筐体８０が後ろ筐体９０に重なった状態から上へのスライド範囲と、前筐体８０が後ろ筐体９０に重なった状態から下へのスライド範囲とを別個に設定することができる。
【００６７】
なお、本発明は上記実施形態に限定されるものではなく、上記実施形態に対して種々の設計変更を行ったものも本発明の範囲に含まれる。以下、変形例を挙げるが、本発明の範囲は以下の変形例に限るものではない。
上記実施形態では、案内部２４，２７がスライダ３のスライド方向に対して平行であったが、案内部２４，２７がスライダ３のスライド方向に対して垂直でなければ、必ずしも平行である必要はない。
また、上記実施形態では、案内部２４，２７が互いに平行であったが、必ずしも平行である必要はない。
また、上記実施形態では、弾性凸部７１がスライダ３の前面に設けられ、突起７２，７３がベース２の背面に設けられているが、逆に弾性凸部７１がベース２の背面に設けられ、突起７２，７３がスライダ３の前面に設けられてもよい。弾性凸部７１がベース２の背面に設けられている場合、その弾性凸部７１によってトーションバネ４，５の動きが干渉されないようにする。
【００６８】
また、トーションバネ４，５の両方又は一方を圧縮バネに変更してもよい。第一トーションバネ４の代わりに圧縮バネを用いた場合、第一トーションバネ４の場合と同様にその圧縮バネの一端部がすべりピン４４にガイド２３に沿って移動可能に設けられ、その圧縮バネの他端部が連結ピン４３によってスライダ３の前面に枢支される。そして、図１又は図２のようにスライダ３が原点位置又は最上位置にある場合には、その圧縮バネが圧縮され、スライダ３が原点位置よりも下であってすべりピン４４が第一引掛部２５から外れた場合には、その圧縮バネが自然状態である。第二トーションバネ５の代わりに圧縮バネを用いた場合も、第二トーションバネ５の場合と同様にその圧縮バネの一端部がすべりピン５４によってガイド２６に沿って移動可能に設けられ、他端部が連結ピン５３によってスライダ３の前面に枢支されている。そして、図１又は図３のようにスライダ３が原点位置又は最下位置にある場合、その圧縮バネが圧縮され、スライダ３が原点位置よりも上であってすべりピン５４が第二引掛部２８から外れた場合には、その圧縮バネが自然状態である。
また、バネは、金属バネに限らず、ゴムバネ、空気バネその他のバネでもよい。
【図面の簡単な説明】
【００６９】
【図１】本発明の実施形態におけるスライド機構を示した正面図である。
【図２】上記スライド機構を示した正面図である。
【図３】上記スライド機構を示した正面図である。
【図４】上記スライド機構を示した下面図である。
【図５】V−V断面図である
【図６】本発明の実施形態における電子機器を示した斜視図である。
【図７】上記電子機器を示した斜視図である。
【図８】上記電子機器を示した斜視図である。
【符号の説明】
【００７０】
１  スライド機構
２  ベース
３  スライダ
４  第一トーションバネ
５  第二トーションバネ
８  電子機器
２４  第一案内部
２５  第一引掛部
２７  第二案内部
２８  第二引掛部
７１  弾性凸部
７２、７３  突起
８０  前筐体
８１  開口
８４  表示部
８５  上部壁面
８６  下部壁面
９０  後ろ筐体
９２  第一入力部
９４  第二入力部
【図１】
0005019229.tif 000002
【図２】
0005019229.tif 000003
【図３】
0005019229.tif 000004
【図４】
0005019229.tif 000005
【図５】
0005019229.tif 000006
【図６】
0005019229.tif 000007
【図７】
0005019229.tif 000008
【図８】
0005019229.tif 000009